(57)【要約】【課題】  可視情報及び２次元コード化データ記録が片面側のみに熱印字された熱リライタブルカードに対し、データの読み取り、印字消去および熱印字が可能なカードリーダーライターの実現。【解決手段】  筐体22内で走行路７を走行するカード４の一面側にＣＣＤカメラ11、ストッパ12、消去バー９、印字ヘッド８を設け、挿入排出口３から挿入されたカード４をＣＣＤカメラ11の位置まで搬送しそこでカード４の２次元コードをＣＣＤカメラ11で読み取らせ、そのデータを情報処理部17へ送り、読み取りデータに対しキーボード１或いは自動更新手段からの更新情報により更新し、可視情報プリント信号と２次元コードプリント信号を生成する。２次元コードの読み取りが終ったカード４は消去バー９の下を通過させて熱印字されている過去のデータを消去し、印字へッド８の下へ進入する。このとき情報処理部17で更新生成された可視情報及び２次元コードの熱印字を行う。【選択図】        図１
2006119698.tif 000002
【特許請求の範囲】
【請求項１】
下記の各手段を具備することを特徴とするカードリーダーライター。
（イ）  挿入された熱リライタブルカードを取り込み、内部で搬送するカード搬送手段
（ロ）  搬送されて来た熱リライタブルカードの熱印字面に熱プリントされている２次元コードを読み取るＣＣＤカメラ
（ハ）  ＣＣＤカメラが熱リライタブルカードの２次元コードを読み取った後にプリント面の２次元コードを含む熱プリントを熱により消去する熱消去手段
（ニ）  ＣＣＤカメラが読み取った２次元コードから得られた情報に対し、内容を更新する情報を入力するための入力操作部
（ホ）  プリント信号が入力されると、熱リライタブルカードの熱印字面に、信号に応じた内容を熱プリントする熱プリント手段
（ヘ）  ＣＣＤカメラが読み取った２次元コードから得られた情報に対し、入力操作部から入力された更新情報による更新を行い、該更新を含んだ情報を前記熱プリント手段で熱リライタブルカードに、可読文字でプリントさせる可視情報プリント信号と２次元コードでプリントさせる２次元コードプリント信号を出力する情報処理部
【請求項２】
情報処理部が、熱リライタブルカードの取り込み排出の１回毎に自動更新する可視情報および２次元コードのプリント信号をも出力することを特徴とする請求項１記載のカードリーダーライター。
【請求項３】
入力操作部がキーボードであることを特徴とする請求項１又は請求項２に記載のカードリーダーライター。
【請求項４】
請求項１の（ニ）の入力操作部に代えて下記（ト）の手段を、同じく（ヘ）の情報処理部に代えて下記（チ）の手段を具備することを特徴とするカードリーダーライター。
（ト）  ＣＣＤカメラが読み取った２次元コードから得られた情報に対し、内容を自動更新する自動更新手段
（チ）  ＣＣＤカメラが読み取った２次元コードから得られた情報に対し、自動更新手段からの更新情報による更新を行い、該更新を含んだ情報を前記熱プリント手段で熱リライタブルカードに、可読文字でプリントさせる可視情報プリント信号と２次元コードでプリントさせる２次元コードプリント信号を出力する情報処理部
【請求項５】
請求項１乃至請求項４のいずれかにおいて、熱リライタブルカードに印字する可視情報の全部又は一部を表示する表示部を設けたことを特徴とするカードリーダーライター。
【発明の詳細な説明】
【技術分野】
【０００１】
本発明は、可視情報が印字されているとともにコード化されたデータが記録されているカードのデータを読み取り、該データを必要に応じて更新し、該更新したデータを再びカードに記録するとともに更新された内容の可視情報をカードに印字し直すリーダーライターの技術分野に属する。
【背景技術】
【０００２】
上記のような可視印字やコード化データを記録するカード媒体は、例えばポリエチレンテレフタレート（ＰＥＴ）のカードの一方の面（例えば表面）には可視情報の印字および消去が可能な印字面を形成し、他方の面（例えば裏面）には磁気記録層を形成して磁気データの記録および消去が可能な磁気データ記録面を形成している。そして、印字面に対する印字および消去は熱による印字および熱による消去が行われるようになっており、磁気データ記録面に対する記録および消去は磁気ヘッドにより行われている。磁気データのコード形成はバーコード形式である。
【０００３】
このようなカード媒体に記録されている磁気データを読み取り、その後、磁気データおよび印字面の可視情報を消去する一方、読み取ったデータに更新処理を施し、該更新データを磁気記録面に再記録するとともに、印字面に可視情報として印字する手段として従来カードリーダーライターと呼ばれるものが用いられている。
【０００４】
図５は従来のカードリーダーライターの構成を示す構成図である。図６は、図５のカードリーダーライターでリードライトが行われるカード媒体を示す図であり、（ａ）が可視情報２３が印字される印字面、（ｂ）がその裏面の磁気記録面であり、磁気記録エリア２７を有している。
カードを、印字面を上にして挿入排出口３へ挿入すると、図示されていないセンサによって挿入が検知され、制御部１８によって前方フィードローラ６および後方フィードローラ１３を右回りに回転させてベルト１６を走行させこのベルト１６によってカード４を右方へ搬送する。
【０００５】
途中に磁気へッド２５が設けられており、カード４が磁気ヘッド２５に擦るようにして通過するときに裏面の磁気記録エリア２７にバーコード形式で記録されている磁気データが読み取られる。
この読み取りを確実ならしめるためプレッシャーローラ２６がカード４を磁気ヘッド２５へ押し付けるようになっている。読み取られた情報は情報処理部１７へ送られる。カードは後方フィードローラ１３の所まで搬送される。
次いで、キーボード１で情報更新操作が行われると、その情報が情報処理部１７へ送られここで情報の更新が行われる。
【０００６】
次いで、制御部１８は、前方フィードローラ６および後方フィードローラ１３を左回りに回転させ、カード４を挿入排出口３の方へ向けて搬送する。このとき、上下駆動機構１０を制御して、機構的に連結されている消去バー９と印字ヘッド８を降下させ、下を通過するカード４の表面に接触するようにする。消去バー９は印字面の可視情報を熱消去するため所定の温度に加熱されており、カード４が消去バー９に接して通過することにより印字面の可視情報２３は消去される。カードは続いて印字ヘッド８の下を通過する。
このとき、印字ヘッド８には情報処理部１７から、更新されたデータを印字するためのプリント信号が送られて、更新された可視情報がカード４の表面に熱印字されることになる。
【０００７】
このような熱消去や熱印字が確実に行われるように、消去バー９の位置のベルト１６の下には消去用プラテンローラ１５が設けられ、印字ヘッド８の位置の下には印字用プラテンローラ１４がそれぞれ設けられており、カード４を消去バー９や印字へッド８に下から押し付けるようになっている。
消去および印字後は消去バー９および印字ヘッド８は上下駆動機構１０によって上へ引き上げられる。
その後カード４は続いて左方へ搬送され磁気ヘッド２５を通過し、このとき磁気ヘッド２５へは情報処理部１７から更新されたデータをバーコード形式で磁気記録する信号が送られて、カード４の磁気記録エリア２７に更新データが磁気記録される。
【０００８】
こうして、可視情報、磁気データともに更新されたカードは前方フィードローラ６を経て、挿入排出口３から排出されて一連の処理を終了することとなる。
【特許文献１】特開２０００−１９４８０５号公報（［００１０］〜［００２２］、図１）
【発明の開示】
【発明が解決しようとする課題】
【０００９】
しかしながら、上記従来のカードリーダーライターおよびカードは、カードへのデータ記録方式が磁気記録方式によるバーコード形式であるために、以下のような問題がある。
まず第１に、磁気記録方式であるためにカード媒体としては、表面に磁気記録層を形成したものを用いるがこれが非常に高価であるという点である。
第２に、磁気データの読み出しや書き込みは、カード媒体の磁気記録面を磁気ヘッドにこすりつけて行っているため磁気ヘッドにごみが集積し易く、その清掃メンテナンスの心掛けが必要でありその手間も生ずる。更に摩耗が生ずるため交換メンテナンスが必要になるという問題がある。
【００１０】
第３に、磁気記録はバーコード形式で行われているために、これを読み取ったときのパルス信号の幅やパルス間の間隔が予め定められた基本時間の整数倍に正確に一致するようにしなければならず、また、記録するときにはバーの幅や間隔が定められた基本寸法の整数倍に合致するようにしなければならず、そのためにカードの搬送速度を正確に一定に保つ必要があり、カード搬送機構を精密なものにしなければならず高価になるという問題がある。
【００１１】
第４に、バーコードは、バーが或る定められた距離に渡って配列されたコード形式であるため、バーコードを読み取るにしても、バーコードを記録するにしてもカードをバーコードの配列長だけ一定速度で移動させなければならないため、読み取りや記録に一定の時間を必要とするという問題がある。
【００１２】
第５に、前述のように、バーコードは、バーの幅やバーの間隔が基本寸法の整数倍になるように定められているので、正規バーコードを拡大或いは縮小したものは使えないという問題がある。
【００１３】
本発明は、上記従来のカードリーダーライターの問題を解決することを課題とするものである。
【課題を解決するための手段】
【００１４】
本発明は上記の課題を解決するために以下の各手段構成を有する。
本発明の第１の構成（基本構成）は、下記の各手段を具備することを特徴とするカードリーダーライターである。
（イ）  挿入された熱リライタブルカードを取り込み、内部で搬送するカード搬送手段
（ロ）  搬送されて来た熱リライタブルカードの熱印字面に熱プリントされている２次元コードを読み取るＣＣＤカメラ
（ハ）  ＣＣＤカメラが熱リライタブルカードの２次元コードを読み取った後にプリント面の２次元コードを含む熱プリントを熱により消去する熱消去手段
（ニ）  ＣＣＤカメラが読み取った２次元コードから得られた情報に対し、内容を更新する情報を入力するための入力操作部
（ホ）  プリント信号が入力されると、熱リライタブルカードの熱印字面に、信号に応じた内容を熱プリントする熱プリント手段
（ヘ）  ＣＣＤカメラが読み取った２次元コードから得られた情報に対し、入力操作部から入力された更新情報による更新を行い、該更新を含んだ情報を前記熱プリント手段で熱リライタブルカードに、可読文字でプリントさせる可視情報プリント信号と２次元コードでプリントさせる２次元コードプリント信号を出力する情報処理部
【００１５】
本発明の第２の構成は、前記第１の構成において、情報処理部が、熱リライタブルカードの取り込み排出の１回毎に自動更新する可視情報および２次元コードのプリント信号をも出力することを特徴とするカードリーダーライターである。
【００１６】
本発明の第３の構成は、前記第１の構成又は第２の構成において、入力操作部がキーボードであることを特徴とするカードリーダーライターである。
【００１７】
本発明の第４の構成は、前記第１の構成の（ニ）の入力操作部に代えて下記（ト）の手段を、同じく（ヘ）の情報処理部に代えて下記（チ）の手段を具備することを特徴とするカードリーダーライターである。
（ト）  ＣＣＤカメラが読み取った２次元コードから得られた情報に対し、内容を自動更新する自動更新手段
（チ）  ＣＣＤカメラが読み取った２次元コードから得られた情報に対し、自動更新手段からの更新情報による更新を行い、該更新を含んだ情報を前記熱プリント手段で熱リライタブルカードに、可読文字でプリントさせる可視情報プリント信号と２次元コードでプリントさせる２次元コードプリント信号を出力する情報処理部
【００１８】
本発明の第５の構成は、前記第１の構成乃至第４の構成のいずれかにおいて、熱リライタブルカードに印字する可視情報の全部又は一部を表示する表示部を設けたことを特徴とするカードリーダーライターである。
【発明の効果】
【００１９】
本発明のカードリーダーライターでは、カード媒体に対するデータ記録方式として、従来のバーコードを用いた磁気記録方式に代えて、２次元コードを用いた熱印字方式を採用したものである。
その結果、以下のような利点がある。
第１に、本発明ではカードの熱印字面だけで、可視情報の印字およびデータの記録を行うので、従来の媒体カードのような磁気記録面が不要になるため適合する媒体カードの価格を大幅に低減することができる。
第２に、２次元コードの読み取りはＣＣＤカメラを用いているが、ＣＣＤカメラは、２次元コード面から所定の距離を置いた位置で読み取るので、媒体カードとは非接触であり、従来、カードの磁気記録面と磁気ヘッドを圧接して摺擦していたときのような、摩耗や汚れの集積という問題がなくなり、メンテナンスの手間も減少するという利点がある。
【００２０】
第３に、ＣＣＤカメラでカードに印字されている２次元コードを読み取る場合、カードは停止した状態で読み取るので従来のバーコードを読み取るときのようにカードの搬送速度を正確に一定速度に保たなければならないというような要請はなく、従ってカード搬送機構も従来程高精度のものでなくてよいという利点がある。
【００２１】
第４に、ＣＣＤカメラはカードの２次元コードをカード停止状態で２次元のまま瞬時に撮影でき、その後は内部での高速電子走査で解読するものであるから、従来のようにカードを移動させながらバーコードを読み取る場合に較べて読み取り時間を格段に短くすることができるという利点がある。
【００２２】
第５に、２次元コードは、その２次元パターンが記録データに対応するものであり、バーコードのように寸法が問題となるものではないから、拡大、或いは縮小された２次元コードであっても、データの読み取りには影響しないという利点がある。
【発明を実施するための最良の形態】
【００２３】
本発明カードリーダーライターの最良の実施形態は、挿入されたカードの片面だけに可視情報の印字と、２次元コードの印字を行うようにすることである。これに伴い消去手段も当然同じ側に設けることになる。
従って、挿入、搬送されるカードの片面側だけに熱消去手段、熱印字手段およびＣＣＤカメラを設けることになり、筐体内空間の合理的利用が可能になる。また、本発明カードリーダーライターに適合するカードは、片面だけに、熱印字、熱消去が可能な処理を施しておくだけでよく、カードの製造コストを低くすることができる。
【００２４】
２次元コードから読み取った情報に対し、内容を更新する情報を入力する入力操作部はキーボードとするのが好ましく、更に、更新後カードに印字される可視情報と同一内容が表示される表示画面を設けることが好ましい。
【実施例１】
【００２５】
以下、本発明のカードリーダーライターの実施例を図面を参照して説明する。
図１は、本発明のカードリーダーライターの第１の実施例の構成を示す構成図である。図３は、本実施例カードリーダーライターの動作に伴う信号の流れを示す信号系統図である。図４は、本発明のカードリーダーライターに適合するカードの表面を示す図で、可視情報２３と２次元コード２４が示されている。以下、図１と図３を参照しつつ説明する。
【００２６】
カード４が、挿入排出口３へ挿入されるとセンサ５が挿入を検知して検知信号を制御部１８へ送る。
検知信号を受けた制御部１８はカード搬送駆動部１９へ搬送指示信号を出力する。これによりカード搬送駆動部１９は前方フィードローラ６および後方フィードローラ１３を回転させ、ローラに掛け渡されているベルト１６を搬送移動させる。これによりカード４は走行路７を奥の方（図では右方）へ搬送されて行き、その前縁がストッパ１２に当接して停止する。このときカード４表面の２次元コード２４が丁度ＣＣＤカメラ１１の撮影エリア内で停止するようになっている。撮影エリアは２次元コード２４の大きさより大きいから、カード４の停止位置は高精度を要求されるものではないので、ストッパ１２も高精度である必要はない。
また、制御部１８によって、カード４を停止させる位置まで突出したり退避することが可能なものであっても、固定的なものであってもよい。
【００２７】
カードが停止すると、制御部１８からＣＣＤカメラ１１へ撮影指示が行き２次元コード２４を撮影する。筐体２２内は暗いので撮影時にはフラッシュ等の照明を行う。撮影された映像は内部で高速電子走査され、その画像信号が情報処理部１７へ送られる。情報処理部１７では２次元コードをデコードし可視情報にして表示部２へ送り画面上に可視情報が表示される。
【００２８】
操作者はこの表示部２の画面を見ながら情報中の更新すべき箇所の更新操作をキーボード１で行う。
この更新情報は情報処理部１７へ伝えられ、ＣＣＤカメラ１１で読み取った情報に対して更新を行う。この更新結果が表示部２にも表示される。
更に、情報処理部１７では、更新された情報を２次元コードにコード化し、カード４への印字に備える。
【００２９】
ＣＣＤカメラ１１による２次元コード２４の撮影が終了すると、制御部１８はカード搬送駆動部１９へ、カード４を挿入排出口３の方（図で左方）へ向けて搬送させるように指示し、カード搬送駆動部１９は、前方フィードローラ６および後方フィードローラ１３を逆転させてカード４を左方へ搬送する。
【００３０】
このとき制御部１８から上下駆動機構１０に対し、印字ヘッド８および消去バー９を下方へ降下させる指示を出し、両者をベルト１６に接する位置まで降下させる。そこへカード４が進入して来て、消去用プラテンローラ１５により消去バー９に押し付けられるようにして通過する。消去バー９は熱消去駆動部２１によってカード表面の印字を消去すべき所定温度に加熱されているので、消去バー９の下を通過すると、カード表面の可視情報２３も２次元コード２４もともに消去される。
【００３１】
次いで、印字ヘッド８の下に入って行く。このときも印字用プラテンローラ１４によって、カード４は印字ヘッド８に押し付けられるようにして密着して移動する。
このとき、制御部１８から情報処理部１７に対し、先に更新済みの可視情報および２次元コードの印字を指示する。指示を受けた情報処理部１７は熱印字駆動部２０に対し、可視情報プリント信号および２次元コードプリント信号を出力する。これらの信号に基づき、熱印字駆動部２０は印字ヘッド８に下を通過中のカード４の表面の所定箇所に可視情報と２次元コードを熱印字させる。
熱印字の終了したカード４は更に左方へ搬送され、挿入排出口３から外部へ排出され、一連の動作は終了する。
【実施例２】
【００３２】
図２は、本発明カードリーダーライターの第２の実施例の構成を示す構成図である。
図１の構成と異なる点は、ＣＣＤカメラ１１とストッパ１２の位置が、図１では上下駆動機構の後方（図では右方）に設けているが、図２では、印字へッド８や消去バー９より前方（図では左方）に設けられている点である。この場合ストッパ１２は、ＣＣＤカメラ１１が２次元コード２４を撮影するときにはカード４を停止させるように突出し、それ以外のときは退避するよう制御部１８によって制御されるものでなければならない。
【実施例３】
【００３３】
第３の実施例は、第１、第２の実施例に対して、更新情報入力手段であるキーボード１を具備せず、自動更新手段を具備し、該手段から、カード挿入毎に更新情報が情報処理部１７へ出力されるというものであり、単なる回数の計数であるとか、一定数値の加算或いは減算等の場合である。
【００３４】
以上、第１、第２、第３の３つの実施例で説明したが、ＣＣＤカメラ１１と、印字ヘッド８と、消去バー９の配置関係は、まず、ＣＣＤカメラによる２次元コードの撮影が行われ、次いで印字面の消去が行われ、次いで印字面への印字が行われるという順序が確保できる配置であればよく、第１、第２の実施例のような配置に限定されるものではない。
【００３５】
即ち、どのような配置関係であっても、カード挿入後、最初にＣＣＤカメラの位置へ行き、次いで消去バーの下を通過し、次いで印字ヘッドの下を通過するようにし、最後に排出方向へ向うようにカード搬送の前進と後退が制御されるようにしておきさえすればよい。
【図面の簡単な説明】
【００３６】
【図１】本発明カードリーダーライターの第１の実施例の構成を示す図である。
【図２】本発明カードリーダーライターの第２の実施例の構成を示す図である。
【図３】図１および図２の構成における各手段間の信号の流れを示す図である。
【図４】本発明のカードリーダーライターに適合するリライタブルカードの印字面を示す図である。
【図５】従来のカードリーダーライターの構成を示す図である。
【図６】従来のカードリーダーライターに適合するリライタブルカードの熱印字面および磁気記録面を示す図である。
【符号の説明】
【００３７】
１  キーボード
２  表示部
３  挿入排出口
４  カード
５  センサ
６  前方フィードローラ
７  走行路
８  印字ヘッド
９  消去バー
１０  上下駆動機構
１１  ＣＣＤカメラ
１２  ストッパ
１３  後方フィードローラ
１４  印字用プラテンローラ
１５  消去用プラテンローラ
１６  ベルト
１７  情報処理部
１８  制御部
１９  カード搬送駆動部
２０  熱印字駆動部
２１  熱消去駆動部
２２  筐体
２３  可視情報
２４  ２次元コード
２５  磁気ヘッド
２６  プレッシャーローラ
２７  磁気記録エリア
【図１】
2006119698.tif 000003
【図２】
2006119698.tif 000004
【図３】
2006119698.tif 000005
【図４】
2006119698.tif 000006
【図５】
2006119698.tif 000007
【図６】
2006119698.tif 000008